(57)【要約】【課題】信号線またはケーブル自身の長尺を可能にし、大きなアイパタンが得られるようにすべく、低周波成分の信号の減衰を大きくし、高速伝送信号の伝送に必要な波形を維持し、別に同様な機能を持った素子を不要にした高速伝送用信号線および高速伝送用ケーブルを提供することにある。【解決手段】導体９の外周に絶縁体１１を介してシールド１３を有した高速伝送用信号線５であって、前記導体９が中空部７を有していることを特徴とする。【選択図】      図１
2004265769.tif 000002
【特許請求の範囲】
【請求項１】
導体の外周に絶縁体を介してシールドを有した高速伝送用信号線であって、前記導体が中空部を有していることを特徴とする高速伝送用信号線。
【請求項２】
導体の外周に絶縁体を介してシールドを有した高速伝送用信号線であって、前記導体が中空部の外周に撚り合わせられた複数の素線からなっていることを特徴とする高速伝送用信号線。
【請求項３】
前記導体の外周面と前記絶縁体の内周面との間にメッキ層を設けてなることを特徴とする請求項１または２記載の高速伝送用信号線。
【請求項４】
前記導体の中空部に絶縁体が挿入されていることを特徴とする請求項１、２または３記載の高速伝送用信号線。
【請求項５】
導体の外周に絶縁体を介してシールドを有した信号線を並列して設けると共にこの各信号線の外周に絶縁体を介してシールドを有した高速伝送用ケーブルであって、前記導体が中空部を有していることを特徴とする高速伝送用ケーブル。
【請求項６】
導体の外周に絶縁体を介してシールドを有した信号線を並列して設けると共にこの各信号線の外周に絶縁体を介してシールドを有した高速伝送用ケーブルであって、前記各導体が中空部の外周に撚り合わせられた複数の素線からなっていることを特徴とする高速伝送用ケーブル。
【請求項７】
前記各導体の外周面と前記絶縁体の内周面との間にメッキ層を設けてなることを特徴とする請求項５または６記載の高速伝送用ケーブル。
【請求項８】
前記各導体の中空部に絶縁体が挿入されていることを特徴とする請求項５、６または７記載の高速伝送用ケーブル。
【請求項９】
中心導体の外周に絶縁体を介して外部導体を設け、この外部導体の外周にシールドを有した高速伝送用ケーブルであって、前記中心導体が中空部を有していることを特徴とする高速伝送用ケーブル。
【請求項１０】
中心導体の外周に絶縁体を介して外部導体を設け、この外部導体の外周にシールドを有した高速伝送用ケーブルであって、前記中心導体が中空部の外周に撚り合わせられた複数の素線からなっていることを特徴とする高速伝送用ケーブル。
【請求項１１】
前記中心導体の外周面と前記絶縁体の内周面との間にメッキ層を設けてなることを特徴とする請求項９または１０記載の高速伝送用ケーブル。
【請求項１２】
前記中心導体の中空部に絶縁体が挿入されていることを特徴とする請求項９、１０または１１記載の高速伝送用ケーブル。
【発明の詳細な説明】
【０００１】
【発明の属する技術分野】
この発明は、アイパタン特性に優れた長尺可能な高速伝送用信号線および高速伝送用ケーブルに関する。
【０００２】
【従来の技術】
バックプレーンボード間を接続するインターフエース信号線において、高周波信号を伝送するとき、信号線が長尺であっても、大きなアイパターンが得られることが必要である。このアイパターンとは、シグナルジェネレータとデジタルオシロスコープを用いてパルス信号の状態を評価するものである。例えばパルス信号は１かゼロであり、この１かゼロは不規則に変化し、波形が重なって見える。そして、図９に示すように波形となり、ちょうど目玉の形にみえるようになる。そして、理想の方形波に近い良好な信号であれば目玉がはっきり開いて見え、方形波から外れるに従って目玉が閉じたように見える。その目玉の開き具合で信号を評価するものである。
【０００３】
従来、例えば図１０に示されているように、バックプレーンボード１０１とバックプレーンボード１０３との間がインターフエース信号線としての高速伝送用信号線１０５で接続されており、バックプレーンボード１０１から高速伝送用信号線を経てバックプレーンボード１０３へ高周波信号が伝送される。
【０００４】
しかも、前記高速伝送用信号線１０５の断面構造としては、図１１に示されているように、例えば０．４ｍｍφからなる銅製の導体１０７の外周に絶縁体１０９を介してシールド１１１がシースされている。そして、この高速伝送用信号線１０５としては導体１０７が中実な形状となっているので、特に導体１０７の外周部側に高周波信号が流れ、導体１０７の内周部側に低周波信号が流れて伝送されるようになっている。
【０００５】
そこで、高速伝送用信号線１０５の例えば１０ｍ以上で使用可能にするため、以下の方法がとられている。
【０００６】
（１）、受動素子、例えばＲ、Ｌ、Ｃを使用してハイパスフィルタを形成させる。
【０００７】
（２）、能動子を使用して高周波での信号の減衰を補償する。
【０００８】
（３）、プレエンファシスを使用して送信信号の矩形波の立ち上がり側をあらかじめ増幅しておく。
【０００９】
【非特許文献１】
フジクラ技報  ２００２年４月  １０２号  Ｐ−３８〜４１「高速伝送ケーブル」
【００１０】
【発明が解決しようとする課題】
ところで、上述した従来技術で、受動素子、能動素子、プレエンファシスのいずれを用いても、バックプレーンボード１０１、１０３側の基板あるいはコネクタ上に適切なデバイスを実装することを必要とし、高速伝送用信号線１０５自身にそのような素子を付加することは困難であった。
【００１１】
この発明は上述の課題を解決するためになされたもので、その目的は、信号線またはケーブル自身の長尺を可能にし、大きなアイパタンが得られるようにすべく、低周波成分の信号の減衰を大きくし、高速伝送信号の伝送に必要な波形を維持し、別に同様な機能を持った素子を不要にした高速伝送用信号線および高速伝送用ケーブルを提供することにある。
【００１２】
【課題を解決するための手段】
上記目的を達成するために請求項１によるこの発明の高速伝送用信号線は、導体の外周に絶縁体を介してシールドを有した高速伝送用信号線であって、前記導体が中空部を有していることを特徴とするものである。
【００１３】
したがって、前記導体が中空部を有しているので、低周波成分の信号がカットされ、低周波成分の信号の減衰が大きくでき、高速伝送信号の伝送に必要な波形を維持でき、大きなアイパタンが得られ、また、信号線自身に高周波フィルタの働きをもたせられるので、別に同様の機能を持った素子が不要になる。さらに、信号線の長尺化が可能になる。
【００１４】
請求項２によるこの発明の高速伝送用信号線は、導体の外周に絶縁体を介してシールドを有した高速伝送用信号線であって、前記導体が中空部の外周に撚り合わせられた複数の素線からなっていることを特徴とするものである。
【００１５】
したがって、請求項１と同様に、前記導体が中空部の外周に撚り合わせられた複数の素線からなっているから、低周波成分の信号がカットされ、低周波成分の信号の減衰が大きくでき、高速伝送信号の伝送に必要な波形を維持でき、大きなアイパタンが得られ、また、信号線自身に高周波フィルタの働きをもたせられるので、別に同様の機能を持った素子が不要になる。さらに、信号線の長尺化が可能になる。
【００１６】
請求項３によるこの発明の高速伝送用信号線は、請求項１または２記載の高速伝送用信号線において、前記導体の外周面と前記絶縁体の内周面との間にメッキ層を設けてなることを特徴とするものである。
【００１７】
したがって、前記導体の外周面と前記絶縁体の内周面との間にメッキ層が設けられているから、より一層の高周波フィルタの働きと請求項１と同様の効果が得られる。
【００１８】
請求項４によるこの発明の高速伝送用信号線は、請求項１、２または３記載の高速伝送用信号線において、前記導体の中空部に絶縁体が挿入されていることを特徴とするものである。
【００１９】
したがって、前記導体の中空部に絶縁体が挿入されているから、より一層の低周波信号の成分がカットされると共に高周波信号の成分が得られる。
【００２０】
請求項５によるこの発明の高速伝送用ケーブルは、導体の外周に絶縁体を介してシールドを有した信号線を並列して設けると共にこの各信号線の外周に絶縁体を介してシールドを有した高速伝送用ケーブルであって、前記導体が中空部を有していることを特徴とするものである。
【００２１】
したがって、前記導体が中空部を有しているから、低周波成分の信号がカットされ、低周波成分の信号の減衰が大きくでき、高速伝送信号の伝送に必要な波形を維持でき、大きなアイパタンが得られ、また、ケーブル自身に高周波フィルタの働きをもたせられるので、別に同様の機能を持った素子が不要になる。さらに、信号線の長尺化が可能になる。
【００２２】
請求項６によるこの発明の高速伝送用ケーブルは、導体の外周に絶縁体を介してシールドを有した信号線を並列して設けると共にこの各信号線の外周に絶縁体を介してシールドを有した高速伝送用ケーブルであって、前記各導体が中空部の外周に撚り合わせられた複数の素線からなっていることを特徴とするものである。
【００２３】
したがって、前記各導体が中空部の外周に撚り合わせられた複数の素線からなっているので、請求項５と同様に、低周波成分の信号がカットされ、低周波成分の信号の減衰が大きくでき、高速伝送信号の伝送に必要な波形を維持でき、大きなアイパタンが得られ、また、ケーブル自身に高周波フィルタの働きをもたせられるので、別に同様の機能を持った素子が不要になる。さらに、信号線の長尺化が可能になる。
【００２４】
請求項７によるこの発明の高速伝送用ケーブルは、請求項５または６記載の高速伝送用ケーブルにおいて、前記各導体の外周面と前記絶縁体の内周面との間にメッキ層を設けてなることを特徴とするものである。
【００２５】
したがって、前記各導体の外周面と前記絶縁体の内周面との間にメッキ層が設けられているから、より一層の高周波フィルタの働きと請求項５と同様の効果が得られる。
【００２６】
請求項８によるこの発明の高速伝送用ケーブルは、請求項５、６または７記載の高速伝送用ケーブルにおいて、前記各導体の中空部に絶縁体が挿入されていることを特徴とするものである。
【００２７】
したがって、前記各導体の中空部に絶縁体が挿入されているから、より一層の低周波信号の成分がカットされると共に高周波信号の成分が得られる。
【００２８】
請求項９によるこの発明の高速伝送用ケーブルは、中心導体の外周に絶縁体を介して外部導体を設け、この外部導体の外周にシールドを有した高速伝送用ケーブルであって、前記中心導体が中空部を有していることを特徴とするものである。
【００２９】
したがって、前記中心導体が中空部を有しているから、低周波成分の信号がカットされ、低周波成分の信号の減衰が大きくでき、高速伝送信号の伝送に必要な波形を維持でき、大きなアイパタンが得られ、また、ケーブル自身に高周波フィルタの働きをもたせられるので、別に同様の機能を持った素子が不要になる。さらに、信号線の長尺化が可能になる。
【００３０】
請求項１０によるこの発明の高速伝送用ケーブルは、中心導体の外周に絶縁体を介して外部導体を設け、この外部導体の外周にシールドを有した高速伝送用ケーブルであって、前記中心導体が中空部の外周に撚り合わせられた複数の素線からなっていることを特徴とするものである。
【００３１】
したがって、前記中心導体が中空部の外周に撚り合わせられた複数の素線からなっているから、請求項９と同様に、低周波成分の信号がカットされ、低周波成分の信号の減衰が大きくでき、高速伝送信号の伝送に必要な波形を維持でき、大きなアイパタンを得ることができる。また、ケーブル自身に高周波フィルタの働きをもたせられ、別に同様の機能を持った素子が不要になる。さらに、信号線の長尺化が可能になる。
【００３２】
請求項１１によるこの発明の高速伝送用ケーブルは、請求項９または１０記載の高速伝送用ケーブルにおいて、前記中心導体の外周面と前記絶縁体の内周面との間にメッキ層を設けてなることを特徴とするものである。
【００３３】
したがって、前記中心導体の外周面と前記絶縁体の内周面との間にメッキ層が設けられているから、より一層の高周波フィルタの働きと請求項９と同様の効果が得られる。
【００３４】
請求項１２によるこの発明の高速伝送用ケーブルは、前記中心導体の中空部に絶縁体が挿入されていることを特徴とするものである。
【００３５】
したがって、前記中心導体の中空部に絶縁体が挿入されているから、前記各導体の中空部に絶縁体が挿入されているから、より一層の低周波信号の成分がカットされると共に高周波信号の成分が得られる。
【００３６】
【発明の実施の形態】
以下、この発明の実施の形態について図面を参照して詳細に説明する。
【００３７】
図３に示されているように、バックプレーンボード１とバックプレーンボード３との間がインターフエース信号線としての例えば高速伝送用信号線５で接続されており、バックプレーンボード１から高速伝送用信号線５を経てバックプレーンボード３へ高周波信号が伝送される。
【００３８】
しかも、前記高速伝送用信号線５の断面構造としては、図１（Ａ）に示されているように、中心部に中空部７を有した例えば０．４ｍｍφからなる銅製の導体９を備えており、この導体９の外周には絶縁体１１を介して熱可塑性樹脂からなるシールド１３がシースされている。
【００３９】
上記構成により、前記導体９が中空部７を有しているので、低周波成分の信号をカットでき、低周波成分の信号の減衰を大きくとることができる。しかも、高速伝送信号の伝送に必要な波形を維持でき、大きなアイパタンを得ることができる。さらに、ケーブル自身に高周波フィルタの働きをもたせることができ、別に同様の機能を持った素子を不要にすることができる。さらに、信号線の長尺化を可能にすることができる。
図１（Ｂ）には図１（Ａ）に代わる他の実施の形態が示されている。図１（Ｂ）において図１（Ａ）における部品と同じ部品には同一の付して重複する説明を省略する。
【００４０】
図１（Ｂ）において、前記導体９の外周面と前記絶縁体１１の内周面との間にはメッキ層１５が設けられている。
【００４１】
上記構成により、前記導体９の外周面と前記絶縁体１１の内周面との間に例えばニッケルなどからなるメッキ層１５が設けられているから、より一層の高周波フィルタの働きと図１（Ａ）と同様の効果を得ることができる。
【００４２】
図１（Ｃ）には図１（Ａ）に代わる他の実施の形態が示されている。図１（Ｃ）において図１（Ａ）における部品と同じ部品には同一の付して重複する説明を省略する。
【００４３】
図１（Ｃ）において、前記導体９の中空部７に例えば紐などの絶縁体１７が挿入（介在）されている。
【００４４】
上記構成により、前記導体９の中空部７には絶縁体１７が挿入されているから、より一層の低周波信号の成分がカットされると共に高周波信号の成分を得ることができる。
【００４５】
図２（Ａ）には図１（Ａ）に代わる別の実施の形態が示されている。図２（Ａ）において、高速伝送用信号線１９の断面構造としては、中空部２１の外周に例えば１０μｍφからなる銅製の複数の素線２３がある撚り数で撚り合わせられた導体２５を備えており、前記複数の素線２３の外周には絶縁体２７を介して熱可塑性樹脂からなるシールド２９がシースされている。
【００４６】
上記構成により、図１（Ａ）の構造のものと同様の効果を有する。また、前記中空部２１の外周に複数の素線２３が撚り合わせられているから、より一層の受信側で大きな開口部をもつアイパタンを得ることができる。
【００４７】
図２（Ｂ）には図２（Ａ）に代わる他の実施の形態が示されている。図２（Ｂ）において図２（Ａ）における部品と同じ部品には同一の付して重複する説明を省略する。
【００４８】
図２（Ｂ）において、前記導体２５における複数の素線２３の外周面と前記絶縁体２７の内周面との間にはメッキ層３１が設けられている。
【００４９】
上記構成により、前記導体２５における複数の素線２３の外周面と前記絶縁体２７の内周面との間にはメッキ層３１が設けられているから、より一層の高周波フィルタの働きと同様の効果を得ることができる。
【００５０】
図２（Ｃ）には図２（Ａ）に代わる他の実施の形態が示されている。図２（Ｃ）において図２（Ａ）における部品と同じ部品には同一の付して重複する説明を省略する。
【００５１】
図２（Ｃ）において、前記複数の素線２３の中空部２１には例えば紐などの絶縁体３３が挿入（介在）されている。
【００５２】
上記構成により、前記複数の素線２３の中空部２１には絶縁体３３が挿入されているから、より一層の低周波信号の成分がカットされると共に高周波信号の成分を得ることができる。
【００５３】
図４（Ａ）には図１（Ａ）に代わる別の実施の形態が示されている。図４（Ａ）において、前記高速伝送用信号線５、９の代わりにＬＶＤＳ伝送用の高速伝送用ケーブル３５が用いられる。この高速伝送用ケーブル３５は、通称ツインナックスケーブルと呼ばれているもので、中空部３７有した導体３９が備えられている。この導体３９の外周には絶縁体４１を介して信号線４３が並列して設けられ、少なくとも１本のドレイン線４５と一緒に絶縁テープなどからなるシールド４７でシースされている。
【００５４】
上記構成により、前記各導体３７が中空部３５を有しているので、低周波成分の信号をカットでき、低周波成分の信号の減衰を大きくとることができる。しかも、高速伝送信号の伝送に必要な波形を維持でき、大きなアイパタンを得ることができる。また、ケーブル自身に高周波フィルタの働きをもたせることができ、別に同様の機能を持った素子を不要にすることができる。さらに、信号線の長尺化を可能にすることができる。
図４（Ｂ）には図４（Ａ）に代わる他の実施の形態が示されている。図４（Ｂ）において図４（Ａ）における部品と同じ部品には同一の付して重複する説明を省略する。
【００５５】
図４（Ｂ）において、前記導体３９の外周面と前記絶縁体４１の内周面との間にはメッキ層４９が設けられている。
【００５６】
上記構成により、前記導体３９の外周面と前記絶縁体４１の内周面との間にはメッキ層４９が設けられているから、より一層の高周波フィルタの働きと同様の効果を得ることができる。
【００５７】
図４（Ｃ）において、前記導体３９の中空部３７には例えば紐などの絶縁体５１が挿入（介在）されている。
【００５８】
上記構成により、前記中心導体３９の中空部３７には絶縁体５１が挿入されているから、より一層の低周波信号の成分がカットされると共に高周波信号の成分を得ることができる。
【００５９】
図５（Ａ）には図４（Ａ）に代わる別の実施の形態が示されている。図５（Ａ）において、高速伝送用ケーブル５３の断面構造としては、中空部５５の外周に例えば１０μｍφからなる銅製の複数の素線５７がある撚り数で撚り合わせられた導体５９を備えており、前記複数の素線５７の外周には絶縁体６１を介して信号線６３が並列して設けられ、少なくとも１本のドレイン線６５と一緒に絶縁テープなどからなるシールド６７でシースされている。
【００６０】
上記構成により、図４（Ａ）の構造のものと同様の効果を有する。また、前記中空部５５の外周に複数の素線５７が撚り合わせられているから、より一層の受信側で大きな開口部をもつアイパタンを得ることができる。
【００６１】
図５（Ｂ）には図５（Ａ）に代わる他の実施の形態が示されている。図５（Ｂ）において図５（Ａ）における部品と同じ部品には同一の付して重複する説明を省略する。
【００６２】
図５（Ｂ）において、前記導体５９における複数の素線５７の外周面と前記絶縁体６１の内周面との間にはメッキ層６７が設けられている。
【００６３】
上記構成により、前記導体５９における複数の素線５７の外周面と前記絶縁体６１の内周面との間にはメッキ層６７が設けられているから、より一層の高周波フィルタの働きと同様の効果を得ることができる。
【００６４】
図５（Ｃ）には図５（Ａ）に代わる他の実施の形態が示されている。図５（Ｃ）において図５（Ａ）における部品と同じ部品には同一の付して重複する説明を省略する。
【００６５】
図５（Ｃ）において、前記複数の素線５７の中空部５５には例えば紐などの絶縁体７１が挿入（介在）されている。
【００６６】
上記構成により、前記複数の素線５７の中空部５５には絶縁体６９が挿入されているから、より一層の低周波信号の成分がカットされると共に高周波信号の成分を得ることができる。
【００６７】
高速伝送用ケーブル７３は通称極細同軸ケーブルと呼ばれており、前記高速伝送用ケーブル７３の断面構造としては、図６（Ａ）に示されているように、中空部７５を有した中心導体７７が備えられている。この中心導体７７の外周には絶縁体７９を介して複数の外部導体８１が設けられている。この外部導体８１の外周にはシールド８３がシールされている。
【００６８】
上記構成により、前記中心導体７７が中空部７５を有しているので、低周波成分の信号をカットでき、低周波成分の信号の減衰を大きくとることができる。しかも、高速伝送信号の伝送に必要な波形を維持でき、大きなアイパタンを得ることができる。また、ケーブル自身に高周波フィルタの働きをもたせることができ、別に同様の機能を持った素子を不要にすることができる。さらに、信号線の長尺化を可能にすることができる。
図６（Ｂ）には図５（Ａ）に代わる他の実施の形態が示されている。図６（Ｂ）において図６（Ａ）における部品と同じ部品には同一の付して重複する説明を省略する。
【００６９】
図６（Ｂ）において、前記中心導体７５の外周面と前記絶縁体７７の内周面との間にメッキ層８３を設けてなるものである。
【００７０】
上記構成により、前記中心導体７３の外周面と前記絶縁体７７の内周面との間にメッキ層８３が設けられているから、より一層の高周波フィルタの働きと同様の効果を得ることができる。
【００７１】
図６（Ｃ）において、前記中心導体７７の中空部７５には例えば紐などの絶縁体８７が挿入（介在）されている。
【００７２】
上記構成により、前記中心導体７７の中空部７５には絶縁体８７が挿入されているから、より一層の低周波信号の成分がカットされると共に高周波信号の成分を得ることができる。
【００７３】
図７（Ａ）には図６（Ａ）に代わる別の実施の形態が示されている。高速伝送用ケーブル８９は通称極細同軸ケーブルと呼ばれており、図７（Ａ）において、高速伝送用ケーブル８９の断面構造としては、中空部９１の外周には銅製の複数の素線９３がある撚り数で撚り合わせられて中心導体９５を備えており、前記複数の素線９３の外周には絶縁体９７を介して複数の外部導体９９が設けられている。この外部導体９９の外周にはシールド１０１がシールされている。
【００７４】
上記構成により、中空部９１の外周には複数の素線９３がある撚り数で撚り合わせられているから、低周波成分の信号をカットでき、低周波成分の信号の減衰を大きくとることができる。しかも、高速伝送信号の伝送に必要な波形を維持でき、大きなアイパタンを得ることができる。また、ケーブル自身に高周波フィルタの働きをもたせることができ、別に同様の機能を持った素子を不要にすることができる。さらに、信号線の長尺化を可能にすることができる。
図７（Ｂ）には図６（Ａ）に代わる他の実施の形態が示されている。図７（Ｂ）において図６（Ａ）における部品と同じ部品には同一の付して重複する説明を省略する。
【００７５】
図７（Ｂ）において、前記中心導体９５における複数の素線９３の外周面と前記絶縁体９５の内周面との間にはメッキ層１０３が設けられている。
【００７６】
上記構成により、前記中心導体９５における素線９３の外周面と前記絶縁体９７の内周面との間にはメッキ層１０３が設けられているから、より一層の高周波フィルタの働きと同様の効果を得ることができる。
【００７７】
図７（Ｃ）には図６（Ａ）に代わる他の実施の形態が示されている。図７（Ｃ）において図６（Ａ）における部品と同じ部品には同一の付して重複する説明を省略する。
【００７８】
図７（Ｃ）において、前記複数の素線９３の中空部９１には例えば紐などの絶縁体１０３が挿入（介在）されている。
【００７９】
上記構成により、前記複数の素線９３の中空部９１に絶縁体１０５が挿入されているから、より一層の低周波信号の成分がカットされると共に高周波信号の成分を得ることができる。
【００８０】
前記導体９（２５、３９）、中心導体７７に中空部７（３７、５５、７５）を形成せしめる方法としては、従来から知られているパイプ加工によって行われる。すなわち、絞り加工であるセージング加工または引き抜き加工で行われる。
【００８１】
また、中空部２１（５５、９１）の外周上には複数の素線２３（５７、９３）が設けれて導体２３（５７）、中心導体９３を形成せしめる方法としては、例えば図８に示されているように、回転体１０７における内部の周囲に複数の素線２５（５９、９５）が巻かれたボビン１０９が装着されている。また、前記回転体１０７の図８において右方には棒状体１１１が設けられている。さらに、右方には一対の送り出しローラ１１３、巻き取りローラ１１５、この巻き取りローラ１１５上に設けられた巻き取りボビン１１７とが順に配置されている。前記棒状体１１１の上方には熱硬化性樹脂からなる接着剤Ｐを添加せしめる接着剤添加装置１１９が設けられている。
【００８２】
上記構成により、複数の素線２３（５７、９３）をボビン１０９から引き出すと共に回転体１０７を一定の回転数で回転させる。そして、複数の素線２３（５７、９３）を棒状体１１１に一定の撚り数で撚りながら、一対の送り出しローラ１１３で送り出した後、巻き取りローラ１１５上に設けられた巻き取りボビン１１７に中空部２１（５５、９１）の周囲に複数の素線２３（５７、９３）でもって導体２５（５９）、中心導体９５が形成されることになる。棒状体１１１の上方に設けられた接着剤添加装置１１９から接着剤Ｐを添加せしめることで、その後、接着剤Ｐが硬化して中空部２１（５５、９１）の周囲に複数の素線２３（５７、９３）が均一にずれることなく形成される。
【００８３】
なお、この発明は前述した実施の形態に限定されることなく、適宜な変更を行うことによりその他の態様で実施し得るものである。
【００８４】
【発明の効果】
以上のごとき発明の実施の形態の説明から理解されるように、請求項１の発明によれば、前記導体が中空部を有しているので、低周波成分の信号がカットされ、低周波成分の信号の減衰が大きくでき、高速伝送信号の伝送に必要な波形を維持でき、大きなアイパタンを得ることができる。また、信号線自身に高周波フィルタの働きをもたせることができ、別に同様の機能を持った素子が不要にすることができる。さらに、信号線の長尺化を可能にすることができる。
【００８５】
請求項２の発明によれば、請求項１同様に、前記導体が中空部の外周に撚り合わせられた複数の素線からなっているから、低周波成分の信号がカットされ、低周波成分の信号の減衰が大きくでき、高速伝送信号の伝送に必要な波形を維持でき、大きなアイパタンを得ることができる。さらに、信号線自身に高周波フィルタの働きをもたせることができ、別に同様の機能を持った素子が不要にすることができる。さらに、信号線の長尺化を可能にすることができる。
【００８６】
請求項３の発明によれば、前記導体の外周面と前記絶縁体の内周面との間にメッキ層が設けられているから、より一層の高周波フィルタの働きと請求項１と同様の効果を得ることができる。
【００８７】
請求項４の発明によれば、前記導体の中空部に絶縁体が挿入されているから、より一層の低周波信号の成分がカットされると共に高周波信号の成分を得ることができる。
【００８８】
請求項５の発明によれば、前記導体が中空部を有しているから、低周波成分の信号がカットされ、低周波成分の信号の減衰が大きくでき、高速伝送信号の伝送に必要な波形を維持でき、大きなアイパタンを得ることができる。また、ケーブル自身に高周波フィルタの働きをもたせることができ、別に同様の機能を持った素子が不要にすることができる。さらに、信号線の長尺化を可能にすることができる。
【００８９】
請求項６の発明によれば、請求項と５同様に、前記各導体が中空部の外周に撚り合わせられた複数の素線からなっているので、低周波成分の信号がカットされ、低周波成分の信号の減衰が大きくでき、高速伝送信号の伝送に必要な波形を維持でき、大きなアイパタンを得ることができる。また、ケーブル自身に高周波フィルタの働きをもたせることができ、別に同様の機能を持った素子が不要にすることができる。さらに、信号線の長尺化を可能にすることができる。
【００９０】
請求項７の発明によれば、前記各導体の外周面と前記絶縁体の内周面との間にメッキ層が設けられているから、より一層の高周波フィルタの働きと請求項５と同様の効果を得ることができる。
【００９１】
請求項８の発明によれば、前記各導体の中空部に絶縁体が挿入されているから、より一層の低周波信号の成分をカットすることができると共に高周波信号の成分を得ることができる。
【００９２】
請求項９の発明によれば、前記中心導体が中空部を有しているから、低周波成分の信号がカットされ、低周波成分の信号の減衰が大きくでき、大きなアイパタンを得ることができ、さらに、ケーブル自身に高周波フィルタの働きをもたせることができ、別に同様の機能を持った素子が不要にすることができる。さらに、信号線の長尺化を可能にすることができる。
【００９３】
請求項１０の発明によれば、請求項９と同様に、前記中心導体が中空部の外周に撚り合わせられた複数の素線からなっているから、請求項９と同様に、低周波成分の信号がカットされ、低周波成分の信号の減衰が大きくでき、高速伝送信号の伝送に必要な波形を維持でき、大きなアイパタンを得ることができる。また、ケーブル自身に高周波フィルタの働きをもたせることができ、別に同様の機能を持った素子が不要にすることができる。さらに、信号線の長尺化を可能にすることができる。
【００９４】
請求項１１の発明によれば、前記中心導体の外周面と前記絶縁体の内周面との間にメッキ層が設けられているから、より一層の高周波フィルタの働きと請求項９と同様の効果を得ることができる。
【００９５】
請求項１２の発明によれば、前記中心導体の中空部に絶縁体が挿入されているから、前記各導体の中空部に絶縁体が挿入されているから、より一層の低周波信号の成分をカットできると共に高周波信号の成分を得ることができる。
【図面の簡単な説明】
【図１】（Ａ）〜（Ｃ）はこの発明の高速伝送用信号線の一例の断面図である。
【図２】（Ａ）〜（Ｃ）は図１に代わる別の高速伝送用信号線の一例の断面図である。
【図３】バックプレーンボードの間にインターフエース信号線としての高速伝送用信号線が接続された状態の概略正面図である。
【図４】（Ａ）〜（Ｃ）はこの発明の高速伝送用ケーブルの一例の断面図である。
【図５】（Ａ）〜（Ｃ）は図４に代わる別の高速伝送用ケーブルの一例の断面図である。
【図６】（Ａ）〜（Ｃ）はこの発明の別の高速伝送用ケーブルの一例の断面図である。
【図７】（Ａ）〜（Ｃ）は図６に代わる別の高速伝送用ケーブルの一例の断面図である。
【図８】複数の素線を用いて中空部を有した中心導体を製造する説明図である。
【図９】アイパタンを説明する説明図である。
【図１０】従来のバックプレーンボードの間にインターフエース信号線としての例えば高速伝送用信号線が接続された状態の概略正面図である。
【図１１】従来の高速伝送用信号線の断面図である。
【符号の説明】
１、３  バックプレーンボード
５、１９  高速伝送用信号線
７、２１、３７、５５、７５、９１  中空部
９、２５、３９、５９  導体
１１、２７、４１、５１、６１、７９、９７  絶縁体
１３、２９、４７、６７、８３、１０１  シース
１５、３１、４９、６７、８５、１０３  メッキ層
１７、２７、３３、４１、５１、７１、７９、８７、１０５  絶縁体
２３、５７、９３  素線
３５、５３、７１、８９  高速伝送用ケーブル
４３、６３  ケーブル
４５、６５  ドレイン線
７７、９５  中心導体
８１、９１  外部導体
【図１】
2004265769.tif 000003
【図２】
2004265769.tif 000004
【図３】
2004265769.tif 000005
【図４】
2004265769.tif 000006
【図５】
2004265769.tif 000007
【図６】
2004265769.tif 000008
【図７】
2004265769.tif 000009
【図８】
2004265769.tif 000010
【図９】
2004265769.tif 000011
【図１０】
2004265769.tif 000012
【図１１】
2004265769.tif 000013